(57)【特許請求の範囲】
【請求項１】
中央部に中折線（ｅ）を挟んで幅狭の保持板（１５，１５）を設け、該一方の保持板（１５）に連続して正面板（１１）と折線（ｄ）を介して差し込み片（１３）とその中央部に舌片（ｓ）を設け、該他方の保持板（１５）に連続して背面板（１２）と折線（ｄ）を介して折り込み片（１４）とその中央部に切り込みによる挿入口（ｋ）を設けた支持部材（１０）と、紙葉上部両端に内側に突出させた係止片（２１，２１）を設けた複数枚の表示板（２０）とから構成され、前記保持板に係止片を設けた複数枚の表示板を嵌め込むように係止したことを特徴とする卓上カレンダー。
【請求項２】
前記保持板（１５，１５）に吊り下げ用の貫通孔（ｆ，ｆ）を設けたことを特徴とする請求項１に記載の卓上カレンダー。
【請求項３】
前記卓上カレンダーの支持部材（１０）が、断面三角形状に保形または偏平に折り畳み自在とした構造を特徴とする請求項１または請求項２に記載の卓上カレンダー。
【請求項４】
前記卓上カレンダーが、紙からなることを特徴とする請求項１または請求項２または請求項３に記載の卓上カレンダー。
【発明の詳細な説明】
【０００１】
【発明の属する技術分野】
本発明は、全部品が紙製でカレンダー終了時の処分による公害問題を少なくした卓上カレンダーであつて、特に卓上または吊り下げることも可能とした組み立て容易な卓上カレンダーに関するものである。
【０００２】
【従来の技術】
従来より卓上カレンダーとして、透明プラスチック製のケースとカード状にした紙製の日付、曜日を印刷した複数枚の表示板（カレンダー）が知られている。例えば、カレンダーとして使用する際は、プラスチックケース内にセットされている複数枚のカード状のカレンダーをケース内に１月から１２月に順次重ねて挿入し、ケース裏面側に設けた支持板を起立させ、僅かに傾斜するように机等の上に置き卓上カレンダーとして使用していた。
【０００３】
【発明が解決しようとする課題】
しかしながら、使用済みのカレンダーは一枚づつ捨てれば良いが、カレンダーが少なくなってくるとケース内が隙間だらけになり、カード化されたカレンダーを固定するものが無くなる。また、使用済みのプラスチックケースの処分が難しく、例えば焼却等の処理を行うと公害問題が発生する。
そこで本発明は上記の問題を解決するためなされたもので、組み立てが容易で、机上に置くこともでき、かつ吊り下げて掲示することも可能とした全部品が紙製の卓上カレンダーを提供するものである。
【０００４】
【課題を解決するための手段】
上記目的を達成するために本発明は、中央部に中折線ｅを挟んで幅狭の保持板１５，１５を設け、一方の保持板１５に連続して正面板１１と折線ｄを介して差し込み片１３とその中央部に舌片ｓを設けて、他方の保持板１５においても連続して背面板１２と折線ｄを介して折り込み片１４とその中央部に切り込みによる挿入口ｋを設けた支持部材１０と、紙葉上部両端に内側に突出させた係止片２１，２１を設けた複数枚の表示板２０とから構成され、前記保持板に係止片を設けた複数枚の表示板を嵌め込むように係止したことを特徴とする卓上カレンダーである。
【０００５】
また、前記保持板１５，１５に吊り下げ用の貫通孔（ｆ，ｆ）を設けたことを特徴とするものである。
【０００６】
また、前記卓上カレンダーの支持部材１０が、断面三角形状に保形または偏平に折り畳み自在とした構造を特徴とするものである。
【０００７】
さらに、前記卓上カレンダーが、紙からなることを特徴とするものである。
【０００８】
【発明の実施の形態】
本発明の卓上カレンダーは、支持部材と表示板（カレンダー）からなり、この支持部材は中央部が幅狭の中央で折り返した保持板と、保持板に連接された両面板と、この保持板に、紙葉上部両端に内側に向かって突出した係止片を設けた表示板を嵌め込むように係止した構成としたものである。
【０００９】
【実施例】
以下、図に基づき本発明を詳細に説明する。
図１は、本発明の一実施例における卓上カレンダーに使用する構成部材の説明図である。また、図２は上記カレンダーを卓上に載置する場合の説明図であり、図３は、上記上記カレンダーを吊り下げて使用する場合の説明図である。
【００１０】
本発明の卓上カレンダーの構成部材は、図１に示すように、支持部材１０と表示板２０（図では１枚の表示板であるが複数枚でも良い）により構成されるものである。先ず、支持部材１０は、展開図に示すように、用紙のほぼ中央部に中折線ｅを上下から挟むように幅狭とした保持板１５，１５を設け、この保持板１５の一方にこの保持板より幅広の正面板１１と折線ｄを介して差し込み片１３を連設し、この差し込み片の中央部でその先端に舌片ｓを設けたものである。また、他方の保持板１５には、前記同様に保持板より幅広の背面板１２と折線ｄを介して折り込み片を連設し、この折り込み片のほぼ天地左右中央部近傍に切り込みによる挿入口ｋを設けたものである。なお、この保持板１５，１５の中央部で中折線ｅを挟んだ位置に吊り下げ用の貫通孔ｆ，ｆを設けておくと良い。
【００１１】
また、図１に示すように、表示板２０は、矩形状の紙葉の上辺両端部に中央方向（内側方向）に向かって僅かに先端を突出させた係止片２１，２１を設けたもので、この係止片の下部には表示板の上辺を切り欠いて凹部ｇ，ｇを設けたものである。なお、この凹部ｇ，ｇの端から端迄の長さは、前述した幅狭の保持板１５，１５の幅と同寸法としたものである。また、この表示板２０は、カレンダー（１月から１２月迄の日付と曜日を表示したもの）を表示するもので通常は表裏に印刷しても複数枚必要とする。
【００１２】
次に、この卓上カレンダーの組み立ては、図２に示すように、机上等に置いて使用する場合は、支持部材１０の中折線ｅを折り曲げ、さらに差し込み片１３と折り込み片１４を折線ｄ，ｄから内側に折り曲げて、両片を重ね合わせるようにして舌片ｓを挿入口ｋに差し込むことで、この差し込み片と折り込み片が平らな支持台となり、断面三角形状のカレンダーの支持部材が得られる。
また、図３に示すように、壁等に吊り下げて使用する場合は、支持部材１０の中折線ｅを折り曲げ、さらに差し込み片１３と折り込み片１４を折線ｄ，ｄから内側の両片に当接するように折り込み、舌片ｓを挿入口ｋに差し込むことで偏平に折り畳まれた支持部材が得られ、吊り下げ用の貫通孔ｆ，ｆを利用して壁等に吊り下げて使用することができる。
【００１３】
すなわち、本発明の卓上カレンダーは、組み立て方法の一部を変えることにより、容易に断面三角形または偏平に保形することが自在にできる。
【００１４】
この支持部材１０に対して表示板２０（カレンダー）の係止方法は、図４に示すように、支持部材の組み立て時に、支持部材の幅狭の保持板１５，１５に必要枚数の表示板２０の係止片２１，２１を引っかけるように嵌め込むことで表示板を係止することができる。この際、保持板１５の幅ｔと表示板２０の凹部ｇ，ｇ間の長さｔを同寸法としておくことで、表示板２０（カレンダー）はしっかりと支持部材に係止することができる。
【００１５】
表示板２０の支持部材１０への係止方法は、支持部材を組み立ててから係止することも容易にできるが、図示はしないが、例えば支持部材の組み立て時に正面板側に必要とする複数枚の表示板を係止した後、支持部材の一方の背面板を正面板側に折り返し折り畳むことで、表示板は支持部材の内側に保持され、かつ偏平に折り畳むことができるのでそのまま輸送等が可能となる。また、表示板（カレンダー）を嵌め込むことも取り外すことも容易にできるので内容が見やすい。
【００１６】
また、本発明の卓上カレンダーは、全部品が紙製で構成されているので、廃棄、焼却等による公害等の問題は極めて少ない。
【００１７】
【発明の効果】
本発明は以上の構成であるから、下記に示す如き効果がある。
すなわち、支持部材に幅狭の保持板を設け、表示板の上部両端に内側に突出した係止片を設けることで、この保持板に複数枚の表示板を容易に係止或いは取り外すことができる。また、卓上カレンダーを平面設置用の断面三角形状に組み立てることも、また吊り下げ展示用として偏平に組み立てることも簡単にできる構造である。
さらに全部材が紙製で製造することができるので、焼却処分等の場合でも有害物質を排出せず環境に良く、また安価に製作することができる、等の優れた効果を奏する。
【図面の簡単な説明】
【図１】本発明の一実施例における卓上カレンダーに使用する構成部材を示す説明図である。
【図２】上記卓上カレンダーの組み立て方法の一例を示すもので、断面三角形状に組み立てた支持部材の斜視図である。
【図３】上記卓上カレンダーの組み立て方法の一例を示すもので、吊り下げて使用する偏平に折り畳んだ支持部材の斜視図である。
【図４】上記卓上カレンダーの支持部材に表示板を係止する方法の説明図である。
【符号の説明】
１０……支持部材
１１……正面板
１２……背面板
１３……差し込み片
１４……折り込み片
１５……保持板
２０……表示板
２１……係止片
ｅ……中折線
ｄ……折線
ｆ……貫通孔
ｇ……凹部
【図１】
0004517496.tif 000002
【図２】
0004517496.tif 000003
【図３】
0004517496.tif 000004
【図４】
0004517496.tif 000005